(57)【要約】      （修正有）【課題】放送信号の視聴の妨害にならなくてアプリケーションの実行が可能であるディスプレイ装置及びその制御方法。【解決手段】ディスプレイ部と、放送信号を受信する放送受信部と、放送信号と選択されたアプリケーションとを実行するための少なくとも一つの窓が表示されるようにディスプレイ部を制御して、前記放送信号が前記ディスプレイ部に表示される間に前記アプリケーションの実行が選択されると、前記放送信号と前記少なくとも一つの窓とが相互に重ならないように前記放送信号と前記少なくとも一つの窓とを前記ディスプレイ部の相互の相異なる表示領域に表示する制御部とを含む。【選択図】図２
2010259047.tif 000002
【特許請求の範囲】
【請求項１】
ディスプレイ装置において、
ディスプレイ部と；
放送信号を受信する放送受信部と；
放送信号と選択されたアプリケーションとを実行するための少なくとも一つの窓（ｗｉｎｄｏｗ）が表示されるようにディスプレイ部を制御して、前記放送信号が前記ディスプレイ部に表示される間に前記アプリケーションの実行が選択されると、前記放送信号と前記少なくとも一つの窓とが相互に重ならないように前記放送信号と前記少なくとも一つの窓とを前記ディスプレイ部の相互の相異なる表示領域に表示する制御部と；
を含むことを特徴とする、ディスプレイ装置。
【請求項２】
前記表示領域の中で一つと前記少なくとも一つの窓とを選択するための使用者選択部を更に含むことを特徴とする、請求項１に記載のディスプレイ装置。
【請求項３】
前記使用者選択部は前記表示領域に其々に対応する複数の短縮ボタンを含み、
前記表示領域は前記複数の短縮ボタンの中で選択される一つの短縮ボタンに対応して選択されることを特徴とする、請求項２に記載のディスプレイ装置。
【請求項４】
前記使用者選択部によって選択された前記放送信号と前記少なくとも一つの窓との中で少なくとも一つの縁はハイライトされることを特徴とする、請求項２に記載のディスプレイ装置。
【請求項５】
前記制御部は前記放送信号と前記アプリケーションの実行との中で一つを選択する制御信号を受信して、受信される制御信号によって選択された前記放送信号と前記アプリケーションの実行との中で一つを制御することを特徴とする、請求項２に記載のディスプレイ装置。
【請求項６】
前記選択されたアプリケーションはマルチメディア・ファイルに関わるグラフィック・ユーザー・インターフェースを含むことを特徴とする、請求項１に記載のディスプレイ装置。
【請求項７】
前記放送信号が表示される表示窓の大きさは前記ディスプレイ部に表示されている前記少なくとも一つの窓の大きさ又は個数に基づいて変更されることを特徴とする、請求項１に記載のディスプレイ装置。
【請求項８】
前記放送信号と前記少なくとも一つの窓と表示される表示窓の大きさは前記使用者選択部を通じて受信される入力に基づいて調節されることを特徴とする、請求項２に記載のディスプレイ装置。
【請求項９】
前記放送信号と前記少なくとも一つの窓とが表示される表示窓の大きさは自動的に調節可能であることを特徴とする、請求項２に記載のディスプレイ装置。
【請求項１０】
放送信号を受信する放送受信部とディスプレイ部とを含むディスプレイ装置の制御方法のおいて、
前記放送信号が前記ディスプレイ部に表示されている状態でアプリケーションの実行を選択する選択信号を受信する段階と；
前記放送信号と前記アプリケーションの実行のための少なくとも一つの窓が相互に重ならないように前記ディスプレイ部の相互の相異なる表示領域に表示する段階と；
を含むことを特徴とする、ディスプレイ装置の制御方法。
【請求項１１】
前記放送信号の表示と表示されている前記アプリケーションの実行との中で一つを制御するための制御信号を受信する段階と；
受信される制御信号に基づいて前記放送信号の表示と前記アプリケーションの実行との中で一つを制御する段階と；
を更に含むことを特徴とする、請求項１０に記載のディスプレイ装置の制御方法。
【請求項１２】
表示されている放送信号と前記少なくとも一つの窓との中で一つを選択するための
選択信号を受信する段階と；
選択された前記放送信号と前記少なくとも一つの窓との縁をハイライトする段階と；
を更に含むことを特徴とする、請求項１１に記載のディスプレイ装置の制御方法。
【請求項１３】
前記放送信号が表示される表示窓の大きさを前記ディスプレイ部に表示されている前記少なくとも一つの窓の大きさに基づいて調節する段階を更に含むことを特徴とする、請求項１０に記載のディスプレイ装置の制御方法。
【請求項１４】
前記放送信号が表示される表示窓の大きさを前記ディスプレイ部に表示されている前記少なくとも一つの窓の個数に基づいて調節する段階を更に含むことを特徴とする、請求項１０に記載のディスプレイ装置の制御方法。
【請求項１５】
前記放送信号と前記少なくとも一つの窓とが表示される表示窓の大きさを使用者選択部を通じて受信される入力に基づいて調節する段階を更に含むことを特徴とする、請求項１１に記載のディスプレイ装置の制御方法。
【発明の詳細な説明】
【技術分野】
【０００１】
本発明はディスプレイ装置及びその制御方法に係わり、より詳しくはアプリケーションを実行させることができるディスプレイ装置及びその制御方法に関するものである。
【背景技術】
【０００２】
最近のテレビは映像信号に対応する放送信号だけを表示する従来と違って、様々なデータ情報を表示するとかサーバー等から受信する様々なコンテンツが表示できる。また、オージオ、停止映像または動映像のようなマルチメディア・ファイルの再生が可能である。このように、ディスプレイ装置で具現される機能が多様化になるほどコンテンツを制御するための使用者インターフェース、特にグラフィック使用者インターフェースはだんだん発展しつつある。
【０００３】
一方、このようなグラフィック使用者インターフェースがディスプレイ装置のディスプレイ部の一部または全面に表示される場合に現在表示されている放送信号が一部または全体的に覆われるために使用者が視聴を中断される不便さがある。
【発明の概要】
【発明が解決しようとする課題】
【０００４】
本発明の一実施形態によれば放送信号の視聴が妨害されなくアプリケーションを実行することが可能なディスプレイ装置及びその制御方法が提供される。
【０００５】
また、本発明の一実施形態によれば複数の表示領域の間を容易に移動させることが可能なディスプレイ装置及びその制御方法が提供される。
【課題を解決するための手段】
【０００６】
本発明の一実施形態によるディスプレイ装置は、ディスプレイ部と；放送信号を受信する放送受信部と；放送信号と選択されたアプリケーションとを実行するための少なくとも一つの窓（ｗｉｎｄｏｗ）が表示されるようにディスプレイ部を制御して、前記放送信号が前記ディスプレイ部に表示される間に前記アプリケーションの実行が選択されると、前記放送信号と前記少なくとも一つの窓とが相互に重ならないように前記放送信号と前記少なくとも一つの窓とを前記ディスプレイ部の相互の相異なる表示領域に表示する制御部と；を含むことを特徴とする。
【０００７】
ここで、前記表示領域の中で一つと前記少なくとも一つの窓とを選択するための使用者選択部を更に含んでもよい。ここで、前記使用者選択部は前記表示領域に其々に対応する複数の短縮ボタンを含み、前記表示領域は前記複数の短縮ボタンの中で選択される一つの短縮ボタンに対応して選択されてもよい。
【０００８】
また、前記使用者選択部によって選択された前記放送信号と前記少なくとも一つの窓との中で少なくとも一つの縁はハイライトされてもよい。また、前記制御部は前記放送信号と前記アプリケーションの実行との中で一つを選択する制御信号を受信して、受信される制御信号によって選択された前記放送信号と前記アプリケーションの実行との中で一つを制御してもよい。
【０００９】
また、前記選択されたアプリケーションはマルチメディア・ファイルに関わるグラフィック・ユーザー・インターフェースを含んでもよい。また、前記放送信号が表示される表示窓の大きさは前記ディスプレイ部に表示されている前記少なくとも一つの窓の大きさ又は個数に基づいて変更されてもよい。
【００１０】
また、前記放送信号と前記少なくとも一つの窓と表示される表示窓の大きさは前記使用者選択部を通じて受信される入力に基づいて調節されてもよい。また、前記放送信号と前記少なくとも一つの窓とが表示される表示窓の大きさは自動的に調節可能であってもよい。
【００１１】
また、本発明の他の実施形態による放送信号を受信する放送受信部とディスプレイ部とを含むディスプレイ装置の制御方法は、前記放送信号が前記ディスプレイ部に表示されている状態でアプリケーションの実行を選択する選択信号を受信する段階と；前記放送信号と前記アプリケーションの実行のための少なくとも一つの窓が相互に重ならないように前記ディスプレイ部の相互の相異なる表示領域に表示する段階と；を含むことを特徴とする。
【００１２】
ここで、前記放送信号の表示と表示されている前記アプリケーションの実行との中で一つを制御するための制御信号を受信する段階と；受信される制御信号に基づいて前記放送信号の表示と前記アプリケーションの実行との中で一つを制御する段階と；を更に含んでもよい。
【００１３】
ここで、表示されている放送信号と前記少なくとも一つの窓との中で一つを選択するための
選択信号を受信する段階と；選択された前記放送信号と前記少なくとも一つの窓との縁をハイライトする段階と；を更に含んでもよい。
【００１４】
また、前記放送信号が表示される表示窓の大きさを前記ディスプレイ部に表示されている前記少なくとも一つの窓の大きさに基づいて調節する段階を更に含んでもよい。
【００１５】
また、前記放送信号が表示される表示窓の大きさを前記ディスプレイ部に表示されている前記少なくとも一つの窓の個数に基づいて調節する段階を更に含んでもよい。
【００１６】
また、前記放送信号と前記少なくとも一つの窓とが表示される表示窓の大きさを使用者選択部を通じて受信される入力に基づいて調節する段階を更に含んでもよい。
【発明の効果】
【００１７】
以上の説明のように、本発明の一実施形態は放送信号の視聴が妨害されなくアプリケーションを実行することが可能なディスプレイ装置及びその制御方法を提供する。
【００１８】
また、本発明の一実施形態は複数の表示領域の間を容易に移動させることが可能なディスプレイ装置及びその制御方法を提供する。
【図面の簡単な説明】
【００１９】
【図１】本発明の一実施形態によるディスプレイ装置の制御ブロック図である。
【図２】本発明の一実施形態によるディスプレイ装置のアプリケーション窓を説明するためのディスプレイ部である。
【図３】本発明の一実施形態によるディスプレイ装置の他のアプリケーション窓を説明するためのディスプレイ部である。
【図４】本発明の一実施形態によるディスプレイ装置の一実施形態による使用者選択部である。
【図５】本発明の一実施形態によるディスプレイ装置の他の実施形態による使用者選択部である。
【図６】図６は図１のディスプレイ装置の制御方法を説明するためのフローチャートである。
【発明を実施するための形態】
【００２０】
以下、添付の図面を参考にして本発明の実施形態に対して本発明の属する技術分野で通常の知識を有する者が容易に実施できるように詳しく説明する。本発明は様々な形態で具現されられるものであって、ここで説明する実施形態に限定されない。本発明を明確に説明するために説明と関係ない部分は省略され、明細書の全体を通じて同一または類似な構成要素に対しては同一の参照符号を付けることにする。
【００２１】
図１は本発明の一実施形態によるディスプレイ装置の制御ブロック図である。図示されているようにディスプレイ装置は放送受信部１０と、ディスプレイ部２０と、アプリケーション実行部３０と、使用者選択部４０と、これらを制御する制御部５０とを含む。本実施形態によるディスプレイ装置は放送信号を受信して表示するテレビで具現可能であり、ネットワーク・インターフェースを通じて放送信号が受信できるコンピューター・システムまたはコンピューター本体の接続されているモニターを含むことができる。また、本実施形態によるディスプレイ装置は放送信号を表示することの以外に多様なアプリケーションを実行することができる。
【００２２】
放送受信部１０は放送信号に含まれている様々なコンテンツを受信することができるチューナー部、ネットワーク上に放送信号を受信するネットワーク・インターフェース等を含むことができる。
【００２３】
ディスプレイ部２０は制御部５０で処理される映像を表示する。ディスプレイ部２０は液晶を含むＬＣＤパネル、有機発光素子を含むＯＬＥＤ（ｏｒｇａｎｉｃ  ｌｉｇｈｔ  ｅｍｉｔｔｉｎｇ  ｄｉｏｄｅ）パネル、またはＰＤＤ（ｐｌａＳｍａ  ｄｉＳｐｌａｙ  ｐａｎｅｌ）を含むことが可能で、前記パネルを駆動するパネル駆動部を含む。
【００２４】
アプリケーション実行部３０はディスプレイ装置での遂行が可能な少なくとも一つのアプリケーションを貯蔵していて、使用者によって選択されたアプリケーションを実行する。本実施形態によるアプリケーションはマルチメディア・ファイルに関わるグラフィック・ユーザー・インターフェース、またはディスプレイ部２０の状態の調節のためのＯＳＤ（ｏｎ  Ｓｃｒｅｅｎ  ｄｉＳｐｌａｙ）を含むことが可能である。従って、アプリケーション実行部３０はマルチメディア・ファイルを再生して使用者の制御によって様々な再生状態を調節する応用プログラムまたはＯＳＤ生成部を含むことができる。
【００２５】
最近のテレビの急速な発展のため、テレビは放送信号を表示する限定的な機能だけではなく、多様なコンテンツが再生可能な複合的の機能を提供する。このようなディスプレイ装置はオージオ、ビデオ・ファイルを再生することの以外にネットワーク・インターフェースを通じるウェブ・サーフィングを提供して、コンテンツ・プロバイダーとの通信をも提供する。このように多様な機能が実行されるためにディスプレイ装置は様々なアプリケーションを支援しなければならない。このようなアプリケーション実行部３０は制御部５０とワン・チップにマージされて一つの処理ブロックで構成されることが可能であり、物理的に分離される別途の処理ブロックで設けられることも可能である。
【００２６】
使用者選択部４０は使用者が様々な選択信号を入力可能な使用者インターフェースであり、入力される選択信号を制御部５０に出力する。本実施形態による使用者選択部４０は図４と図５とのようにディスプレイ装置と遠隔に通信可能な遠隔制御装置で設けられるとか、ポインティング・デバイスを通じて選択信号を受信するタッチ・パネルでも設けられる。また、ディスプレイ装置のハウジングに設けられている様々なボタン、キー・ボード、マウスのような入力装置をも含む。使用者は使用者選択部４０を通じてアプリケーションを実行して、アプリケーション実行窓の表示領域を調節することができる。
【００２７】
制御部５０は放送信号がディスプレイ部２０に表示されている状態でアプリケーションの実行が選択される場合、放送信号と前記アプリケーションの実行のための少なくとも一つの実行窓とが相互に重ならないようにディスプレイ部２０の相互の相異なる表示領域に表示する。アプリケーション実行窓とはアプリケーションを実行するための使用者インターフェースを意味するものであって図２と図３とに図示されている。制御部５０は放送信号を処理して表示する映像処理ブロック、即ちデコーダーやスケーラー等を含み、放送信号とアプリケーション実行窓との大きさと比率とを調節する。デコーダーまたはスケーラーのような映像処理ブロックは制御機能を行う制御ブロックにマージ（ｍｅｒｇｅ）されて設けられるとか、別途の処理ブロックでも設けられる。
【００２８】
図２と図３とはディスプレイ装置のアプリケーション実行窓を説明するためのディスプレイ部２０である。図２は放送信号が表示されている状態で一つのアプリケーション実行窓が表示された場合を図示したものであり、図３は放送信号が表示されている状態で二つのアプリケーション実行窓が表示された場合を図示したものである。
【００２９】
図示されているように、使用者が放送信号を視聴する間にアプリケーションの実行が選択される場合、制御部５０は放送信号をディスプレイ部２０の第１表示領域Ｉに表示して、アプリケーション実行窓をディスプレイ部２０の第２表示領域ＩＩに其々に表示する。第１表示領域Ｉと第２表示領域ＩＩとは相互に重ならなく、放送信号とアプリケーション実行窓とは相互に相異なる領域に表示されるためアプリケーション実行窓によって放送信号が覆われることがない。従って、使用者は放送信号を視聴しながらアプリケーションを実行させるとか、アプリケーションに関わる制御項目を調節することができる。
【００３０】
アプリケーション実行窓が表示されると、アプリケーション実行窓の縁はハイライトされる（Ｈ）。二つのコンテンツの中で使用者が現在に制御しようとする表示領域を直観的に認識できるようにハイライトＨを表示する。使用者はアプリケーション実行窓が表示されている状況で放送信号を制御することもできる。この場合、放送信号を選択すると、放送信号の第１表示領域Ｉの縁がハイライトになる。
【００３１】
図３のように、追加にアプリケーションの実行が選択されると、追加に選択されたアプリケーション実行窓は第２表示領域ＩＩの下段の第３表示領域ＩＩＩに表示される。ハイライトＨは第３表示領域ＩＩＩの縁に表示されて、第２表示領域ＩＩに表示されたハイライトは非活性化（Ｈ’）になる。
【００３２】
図４と図５とは使用者選択部４０である遠隔制御装置を図示したものである。図４の使用者選択部４０は電源ボタンＡと、数字ボタンＢと、方向ボタンＣと、表示領域の其々に対応する短縮ボタンＤとを含む。使用者は表示領域Ｉ、ＩＩ、ＩＩＩ、ＩＶに対応する短縮ボタンＤを選択することで複数の表示領域Ｉ、ＩＩ、ＩＩＩ、ＩＶの中で一つを選択することが可能であり、選択された表示領域Ｉ、ＩＩ、ＩＩＩ、ＩＶに対応するコンテンツを制御することが可能である。例えば、図３で現在のハイライトＨは第３表示領域ＩＩＩの縁に表示されているため使用者は第３表示領域ＩＩＩに表示されているアプリケーションを制御することができる。即ち、制御部５０は第３表示領域ＩＩＩに表示されているアプリケーションを実行するための制御信号を受信して、受信される制御信号によってアプリケーションを実行する。反面に、ハイライトＨが表示されていない第１表示領域Ｉまたはハイライトが非活性化（Ｈ’）されている第２表示領域ＩＩは使用者によって制御されることができない。
【００３３】
短縮ボタンＤを通じて第３表示領域ＩＩＩではなく他の表示領域Ｉ、ＩＩが選択されると、
ハイライトＨは選択された表示領域Ｉ、ＩＩに移動して、制御できるコンテンツも変更される。もし、放送信号が表示されている第１表示領域Ｉが選択される場合、使用者は放送信号のボリューム、チャンネル等を変更させることができる。
【００３４】
このように、使用者は短縮ボタンＤを利用して容易に表示領域Ｉ、ＩＩ、ＩＩＩ、ＩＶを選択可能で、望むコンテンツ（放送信号またはアプリケーション実行窓）を制御することができる。使用者選択部４０が含む短縮ボタンＤの個数はディスプレイ部２０に表示または実行可能なコンテンツの個数によって決定される。
【００３５】
図５の使用者選択部４０は表示領域Ｉ、ＩＩ、ＩＩＩ、ＩＶに対応する複数の短縮ボタンではなく、ハイライトＨを移動させるための機能ボタンＦｎ、Ｅを含む。本実施形態による場合、機能ボタンＥを押して方向ボタンＣを選択すると表示領域Ｉ、ＩＩ、ＩＩＩ、ＩＶを活性化させるハイライトＨが方向ボタンＣが指示する方向によって表示領域Ｉ、ＩＩ、ＩＩＩ、ＩＶの間を移動する。こんな実施形態の場合、図４に図示されている短縮ボタンの個数に限定されなくて、複数の短縮ボタンを具備する必要がないので使用者選択部４０の構成が簡単になる長所がある。
【００３６】
他の実施形態によれば、放送信号ではなくＥＰＧ画面が表示されるとかウェブ画面が表示されている状態でアプリケーション実行窓が表示されることも可能で、アプリケーション実行窓が表示されている状態で放送信号または他のコンテンツが選択されることも可能である。
【００３７】
また、表示領域の個数は前記実施形態と同じ２個または３個に限定されなく、ディスプレイ部２０の大きさ又はディスプレイ装置で支援可能なアプリケーションの個数によって調節されることができる。
【００３８】
また、他の実施形態によればディスプレイ部２０に表示されるアプリケーション実行窓の個数が増加すると放送信号が表示される第１表示領域Ｉの大きさが縮むことも可能である。第１表示領域Ｉとアプリケーション実行窓が表示される第２乃至第３表示領域ＩＩ、ＩＩＩとの大きさは使用者に最適の表示状態を提供するために自動的に調節されることも可能で、使用者選択部４０によって表示領域Ｉ、ＩＩ、ＩＩＩの間の比率が調節されることも可能である。
【００３９】
図６は図１のディスプレイ装置の制御方法を説明するためのフローチャートである。図６を参照して本実施形態によるディスプレイ装置の制御方法を定理すると次の通りである。
【００４０】
まず、放送信号をディスプレイ部２０に表示する（Ｓ１０）。使用者からアプリケーションの実行を選択する選択信号を受信すると（Ｓ２０）、制御部５０は放送信号とアプリケーション実行窓とを重ならない表示領域Ｉ、ＩＩ、ＩＩＩに其々に表示する（Ｓ３０）。
【００４１】
複数の表示領域Ｉ、ＩＩ、ＩＩＩの中で放送信号と少なくとも一つの実行窓との中で一つを選択する信号を受信することが可能で（Ｓ４０）、この場合選択される放送信号または実行窓の縁はハイライトされる（Ｓ５０）。
【００４２】
制御部５０はハイライトされている対応の放送信号を制御するとかアプリケーションを実行させることが可能な制御信号を受信して、これに対応してコンテンツを制御することができる。
【００４３】
本発明による場合、放送信号を視聴する間でも使用者が望むアプリケーションの実行が可能であるために使用者のマルチタスキング（ｍｕｌｔｉ−ｔａｓｋｉｎｇ）を支援して、放送信号と並列的にアプリケーション実行窓の表示が可能であるため視聴に妨害にならないディスプレイ装置及びその制御方法が提供される。
【００４４】
以上のように本発明の幾つの実施形態が図示及び説明されているが、本発明の属する技術分野の通常の知識を有する当業者であれな本発明の原則や思想の範囲の内で本実施形態の変形が可能であることは明らかである。発明の範囲は添付の請求項とその均等物によって定められる。
【符号の説明】
【００４５】
１０  放送受信部
２０  ディスプレイ部
３０  アプリケーション実行部
４０  使用者選択部
５０  制御部
【図１】
2010259047.tif 000003
【図２】
2010259047.tif 000004
【図３】
2010259047.tif 000005
【図４】
2010259047.tif 000006
【図５】
2010259047.tif 000007
【図６】
2010259047.tif 000008